(57)【特許請求の範囲】
【請求項１】
検索語を受信するステップと、
前記検索語に含まれている特定語に基づいて、または前記検索語を意味解析し、前記検索語が３Ｄ検索ニーズを有する検索語であるか否かを判断するステップであって、前記３Ｄ検索ニーズを有する検索語は検索する際に入力された三次元画像を閲覧するニーズの検索語であるステップと、
前記検索語が３Ｄ検索ニーズを有する検索語である場合、前記検索語に対応する３Ｄ検索結果を取得し、前記３Ｄ検索結果が３Ｄ画像と前記３Ｄ画像に対応するサービス項目とを含むステップと、
前記３Ｄ検索結果を表示するステップと、
ユーザにより選択されたサービス項目を決定し、前記選択されたサービス項目に基づいて、前記３Ｄ画像を処理するステップと、を含む、
ことを特徴とする情報検索方法。
【請求項２】
前記サービス項目は印刷と購入のうち少なくとも一つを含む、
ことを特徴とする請求項１に記載の方法。
【請求項３】
ユーザによりサービス項目が選択された後、カスタマイズ情報のインターフェースを表示し、前記ユーザが前記カスタマイズ情報のインターフェースに入力したカスタマイズ情報に基づいて、前記３Ｄ画像を処理するステップ、を更に含む、
ことを特徴とする請求項１または２に記載の方法。
【請求項４】
前記選択されたサービス項目に基づいて、前記３Ｄ画像を処理するステップは、
前記選択されたサービス項目を提供する商店から一つの商店を選択し、選択された商店で前記３Ｄ画像を処理するようにするステップを含む、
ことを特徴とする請求項１乃至３のいずれかに記載の方法。
【請求項５】
前記選択されたサービス項目を提供する商店から一つの商店を選択するステップは、
前記選択されたサービス項目を提供するすべての商店とユーザとの距離情報を取得し、距離が一番近い商店を選択された商店として決定するステップ、または、
前記選択されたサービス項目を提供するすべての商店の情報を取得して、ユーザに表示し、表示された商店の情報に基づいてユーザにより選択された商店を決定するステップ、を含む、
ことを特徴とする請求項４に記載の方法。
【請求項６】
前記選択されたサービス項目が印刷である場合、前記選択されたサービス項目に基づいて、前記３Ｄ画像を処理するステップは、
機器が３Ｄプリンターに接続されているか否かを判断するステップと、
３Ｄプリンターに接続されている場合、接続されている３Ｄプリンターを使用して、前記３Ｄ画像に対応するモデルを印刷するステップと、を含む、
ことを特徴とする請求項２に記載の方法。
【請求項７】
３Ｄプリンターに接続されていない場合、ユーザにふさわしい３Ｄ印刷メーカーにデフォルトで接続され、印刷と郵送のサービスを提供するようにする、
ことを特徴とする請求項６に記載の方法。
【請求項８】
前記選択されたサービス項目が購入である場合、前記方法は、直接に注文するインターフェースをユーザに表示するステップをさらに含む、
ことを特徴とする請求項２に記載の方法。
【請求項９】
検索語を受信するための受信モジュールと、
前記検索語に含まれている特定語に基づいて、または前記検索語を意味解析し、前記検索語が３Ｄ検索ニーズを有する検索語であるか否かを判断し、前記検索語が前記３Ｄ検索ニーズを有する検索語である場合、前記検索語に対応する３Ｄ検索結果を取得するための取得モジュールであって、前記３Ｄ検索ニーズを有する検索語は検索する際に入力された三次元画像を閲覧するニーズの検索語であり、前記３Ｄ検索結果が３Ｄ画像と前記３Ｄ画像に対応するサービス項目とを含む取得モジュールと、
前記３Ｄ検索結果を表示するための第１表示モジュールと、
ユーザにより選択されたサービス項目を決定し、前記選択されたサービス項目に基づいて、前記３Ｄ画像を処理するための処理モジュールと、を含む、
ことを特徴とする情報検索装置。
【請求項１０】
ユーザによりサービス項目が選択された後、カスタマイズ情報のインターフェースを表示し、前記ユーザが前記カスタマイズ情報のインターフェースに入力したカスタマイズ情報に基づいて、前記３Ｄ画像を処理するための第２表示モジュール、をさらに含む、
ことを特徴とする請求項９に記載の装置。
【請求項１１】
前記処理モジュールは、具体的に、
前記選択されたサービス項目を提供する商店から一つの商店を選択して、選択された商店で前記３Ｄ画像を処理するようにする、
ことを特徴とする請求項９または１０に記載の装置。
【請求項１２】
前記処理モジュールが、前記選択されたサービス項目を提供する商店から一つの商店を選択することは、
前記選択されたサービス項目を提供するすべての商店とユーザとの距離情報を取得し、距離が一番近い商店を選択された商店として決定すること、または、
前記選択されたサービス項目を提供するすべての商店の情報を取得して、ユーザに表示し、表示された商店の情報に基づいてユーザにより選択された商店を決定すること、を含む、
ことを特徴とする請求項１１に記載の装置。
【請求項１３】
前記選択されたサービス項目が印刷である場合、前記処理モジュールは、具体的に、
機器が３Ｄプリンターに接続されているか否かを判断し、
３Ｄプリンターに接続されている場合、接続されている３Ｄプリンターを使用して、前記３Ｄ画像に対応するモデルを印刷する、
ことを特徴とする請求項９乃至１２のいずれかに記載の装置。
【請求項１４】
３Ｄプリンターに接続されていない場合、ユーザにふさわしい３Ｄ印刷メーカーにデフォルトで接続され、印刷と郵送のサービスを提供するようにする、
ことを特徴とする請求項１３に記載の装置。
【請求項１５】
前記選択されたサービス項目が購入である場合、前記装置は、直接に注文するインターフェースをユーザに表示するための第３表示モジュールをさらに含む、
ことを特徴とする請求項９乃至１２のいずれかに記載の装置。
【請求項１６】
一つまたは複数のプロセッサと、
メモリーと、
一つまたは複数のプログラムと、を含み、
前記一つまたは複数のプログラムは、前記メモリーに保存され、前記一つまたは複数のプロセッサにより実行される場合、
請求項１乃至８のいずれかに記載の方法を実行する、
ことを特徴とする電子設備。
【請求項１７】
一つまたは複数のモジュールが保存され、前記一つまたは複数のモジュールが実行される場合、
請求項１乃至８のいずれかに記載の方法を実行する、
ことを特徴とする不揮発コンピューター記憶媒体。
【発明の詳細な説明】
【技術分野】
【０００１】
本出願は、バイドォオンラインネットワークテクノロジー（ペイジン）カンパニーリミテッドが２０１５年３月３０日に中国国家知識産権局に提出し、且つ発明の名称が「情報検索方法及び情報検索装置」で、特許出願番号が２０１５１０１４５６６５．６である特許出願を優先権として主張するものであり、当該中国特許出願の全内容は参照により本明細書に組み入れられる。
【０００２】
本発明はインターネット技術分野に関し、特に情報検索方法及び情報検索装置に関する。
【背景技術】
【０００３】
ユーザは検索エンジンを介し、情報を検索できる。検索時に、三次元（３Ｄ）画像を閲覧するニーズの検索語、例えば、室内内装、金型、３Ｄxxxなどを入力する場合がある。
【０００４】
先行技術の中で、こういう種類の検索語に対しても、普通の検索方式及び表示方法を用い、検索結果は一項目一項目の自然結果であるため、３Ｄ検索結果に基づいたサービスも提供できなく、ユーザのニーズを十分に満たすことができない。
【発明の概要】
【発明が解決しようとする課題】
【０００５】
本発明の目的は、従来技術における少なくとも一つの技術的課題を解決することである。
【０００６】
そこで、本発明の一つの目的は、情報検索方法を提出することである。当該方法は、ユーザに３Ｄ検索ニーズがある場合、３Ｄ検索結果に基づいたサービスを提供し、ユーザのニーズをさらによく満たし、ユーザの体験を高めることができる。
【０００７】
本発明のもう一つの目的は、情報検索装置を提供することである。
【課題を解決するための手段】
【０００８】
上記目的を実現するために、本発明の第一実施例で提出された情報検索方法は、検索語を受信するステップと、前記検索語が３Ｄ検索ニーズを有する検索語である場合、前記検索語に対応する３Ｄ検索結果を取得し、前記３Ｄ検索結果は３Ｄ画像と前記３Ｄ画像に対応するサービス項目とを含むステップと、前記３Ｄ検索結果を表示するステップと、ユーザにより選択されたサービス項目を決定し、且つ前記選択されたサービス項目に基づいて、前記３Ｄ画像を処理するステップと、を含む。
【０００９】
本発明の第一実施例で提出された情報検査方法は、検索語に対応する３Ｄ検索結果を取得するのを介し、ユーザに３Ｄ検索ニーズがある場合、ユーザに３Ｄ検索結果を表示し、３Ｄ検索結果に基づいたサービスを提供し、ユーザのニーズをさらによく満たし、ユーザの体験を高めることができる。
【００１０】
上記目的を実現するために、本発明の第二実施例で提出された情報検索装置は、検索語を受信するための受信モジュールと、前記検索語が３Ｄ検索ニーズを有する検索語である場合、前記検索語に対応する３Ｄ検索結果を取得し、前記３Ｄ検索結果は３Ｄ画像と前記３Ｄ画像に対応するサービス項目とを含む取得モジュールと、前記３Ｄ検索結果を表示するための第１表示モジュールと、ユーザにより選択されたサービス項目を決定し、且つ前記選択されたサービス項目に基づいて、前記３Ｄ画像を処理するための処理モジュールと、を含む。
【００１１】
本発明の第二実施例で提出された情報検索装置は、検索語に対応する３Ｄ検索結果を取得するのを介し、ユーザに３Ｄ検索ニーズがある場合、ユーザに３Ｄ検索結果を表示し、且つ３Ｄ検索結果に基づいたサービスを提供し、ユーザのニーズをさらによく満たし、ユーザの体験を高めることができる。
【００１２】
本発明の実施例では、更に電子設備が提供されている。当該電子設備は、一つまたは複数のプロセッサと、メモリーと、一つまたは複数のプログラムと、を含む。前記一つまたは複数のプログラムは、前記メモリーに保存され、前記一つまたは複数のプロセッサにより実行される場合、以下のように操作する。検索語を受信するステップと、前記検索語が３Ｄ検索ニーズを有する検索語である場合、前記検索語に対応する３Ｄ検索結果を取得し、前記３Ｄ検索結果は３Ｄ画像と前記３Ｄ画像に対応するサービス項目とを含むステップと、前記３Ｄ検索結果を表示するステップと、ユーザにより選択されたサービス項目を決定し、且つ前記選択されたサービス項目に基づいて、前記３Ｄ画像を処理するステップと、を実行する。
【００１３】
本発明の実施例では、更に不揮発コンピューター記憶媒体が提供される。前記コンピューター記憶媒体は、一つまたは複数のモジュールを保存し、前記一つまたは複数のモジュールが実行される場合、以下のように操作する。検索語を受信するステップと、前記検索語が３Ｄ検索ニーズを有する検索語である場合、前記検索語に対応する３Ｄ検索結果を取得し、前記３Ｄ検索結果は３Ｄ画像と前記３Ｄ画像に対応するサービス項目とを含むステップと、前記３Ｄ検索結果を表示するステップと、ユーザにより選択されたサービス項目を決定し、且つ前記選択されたサービス項目に基づいて、前記３Ｄ画像を処理するステップと、を実行する。
【００１４】
本発明の付加的特徴と利点は、一部が下記の説明の中にあり、一部が下記の説明により、明らかになり、または本発明の実践により、理解される。
【図面の簡単な説明】
【００１５】
本発明の上記および／または付加的な特徴と利点は、下記の添付図面を参照した実施形態に対する説明により、明らかになり、理解されることが容易になる。
【図１】本発明の一つの実施例で提出された情報検索方法のフローチャートである。
【図２】先行技術における検索結果の表示図である。
【図３ａ】本発明の一つの実施例における一種の検索結果の一種の表示図である。
【図３ｂ】本発明の一つの実施例における一種の検索結果のもう一種の表示図である。
【図３ｃ】本発明の一つの実施例における一種の検索結果のもう一種の表示図である。
【図３ｄ】本発明の一つの実施例における一種の検索結果のもう一種の表示図である。
【図４】本発明のもう一つの実施例で提出された情報検索方法のフローチャートである。
【図５】本発明の一つの実施例におけるもう一種の検索結果の一種の表示図である。
【図６】本発明のもう一つの実施例で提出された情報検索装置の構造を示す図である。
【図７】本発明のもう一つの実施例で提出された情報検索装置の構造を示す図である。
【発明を実施するための形態】
【００１６】
以下に、本発明の実施形態を詳細に説明する。前記実施例の例示が図面に示されるが、同一または類似する符号は、常に、相同または類似のモジュール、または、相同または類似の機能を有するモジュールを表す。以下に、図面を参照しながら説明される実施例は例示的なものであり、本発明を解釈するためだけに用いられ、本発明を限定するものと理解されてはならない。逆に、本発明の実施例は付加の特権請求の範囲の主旨と内容範囲に入るすべての変化、修正及び等しいものを含む。
【００１７】
図１は本発明の一つの実施例で提出された情報検索方法のフローチャートであり、当該方法は、ステップＳ１１〜ステップＳ１４を含む。
【００１８】
ステップＳ１１、検索語を受信する。
【００１９】
検索エンジンはユーザの検索ボックスに入力した検索語を受信し、検索語はテキストまたは音声などの形で入力されることができる。
【００２０】
検索語は、具体的に３Ｄ検索ニーズを有する検索語であってもよい。具体的に、検索語に含まれている特定語に基づいて、または検索語を意味解析し、検索語が３Ｄ検索ニーズを有する検索語であるか否かを判断する。
【００２１】
例えば、検索語に「３Ｄ」が含まれる場合、検索語が３Ｄ検索ニーズを有する検索語であるのを決定できる。または、検索語が室内内装、金型という種類の単語である場合、意味解析を経て、こういう種類の単語は３Ｄ検索ニーズを有する単語であり、従って、こういう種類の検索語も３Ｄ検索ニーズを有する検索語である。
【００２２】
ステップＳ１２、前記検索語が３Ｄ検索ニーズを有する検索語である場合、前記検索語に対応する３Ｄ検索結果を取得し、前記３Ｄ検索結果は３Ｄ画像と前記３Ｄ画像に対応するサービス項目とを含む。
【００２３】
前記検索語に対応する３Ｄ検索結果を取得するステップは、前記検索語に基づいて、前記３Ｄ検索結果をリアルタイムに生成するステップ、または予め構築された３Ｄモデルライブラリにおいて、前記３Ｄ検索結果を取得するステップを含むのが好ましい。
【００２４】
具体的に、リアルタイムに生成する場合、検索語に係る３Ｄ画像をリアルタイムに取得し、そしてこれらの３Ｄ画像を予め設定された規則に基づいて配列する。
【００２５】
または、サーバはユーザの検索履歴に基づいて、３Ｄモデルライブラリを予め構築してもよい。３Ｄモデルライブラリには異なる検索語に対応する３Ｄモデル画像が含まれることができ、当面の検索をする時に、３Ｄモデルライブラリから現在の検索語に対応する３Ｄモデル画像を取得する。
【００２６】
前記サービス項目は印刷と購入のうち少なくとも一つを含むのが好ましい。当然理解できるのは、サービス項目がその他の内容を更に含んでもよい。
【００２７】
ステップＳ１３、前記３Ｄ検索結果を表示する。
【００２８】
検索結果は検索結果ページに表示される。先行技術の中で、図２を参照し、検索語２１が３Ｄ検索ニーズを有する検索語である場合、検索結果２２は一項目一項目の独立的な情報であり、構造化された情報ではない。
【００２９】
ただし、本実施例において、図３ａを参照し、検索語３１が３Ｄ検索ニーズを有する検索語である場合、３Ｄ検索結果３２が構造化された情報という形で表示されることはできる。
【００３０】
また、図３ａのように、本実施例における３Ｄ画像は具体的に３Ｄモデル画像を指してもよい。
【００３１】
ステップＳ１４、ユーザにより選択されたサービス項目を決定し、且つ前記選択されたサービス項目に基づいて、前記３Ｄ画像を処理する。
【００３２】
例えば、ユーザが購入を選択する場合、購入用商店を選択でき、当該購入用商店で３Ｄ画像に対応する商品を購入する。または、ユーザが印刷を選択する場合、３Ｄ画像に対応する３Ｄモデルを印刷できる。
【００３３】
もう一つの実施例において、図４を参照して、当該情報検索方法は、ステップＳ４０１〜ステップＳ４１２を含む。
【００３４】
ステップＳ４０１、ユーザにより、３Ｄ画像のニーズを含む検索を開始する。
【００３５】
例えば、ユーザが入力された検索語を分析することにより、３Ｄ画像のニーズが含まれている検索であるかを判断する。
【００３６】
ステップＳ４０２、ユーザの主要なニーズを決定する。
【００３７】
ユーザの主要なニーズとしては、例えば閲覧、印刷と購入などである。本実施例で、印刷及び購入を例とする。
【００３８】
ステップＳ４０３、主要なニーズが印刷であるのを決定する。
【００３９】
例えば、図５を参照し、検索語５１「金型」に基づいて、３Ｄ検索結果５２を取得してから、検索結果にはサービス項目が更に含められる。例えば、閲覧モード及び印刷モードを含み、ユーザが印刷モードをクリックしてから、主要なニーズが印刷であるのを決定できる。
【００４０】
ステップＳ４０４、本機が３Ｄプリンタに接続されているか否かを判断し、接続されているなら、ステップＳ４０５を実行し、接続されていないなら、ステップＳ４０６を実行する。
【００４１】
例えば、本機が現在接続されている設備の情報を検出でき、検出された設備情報に基づいて、３Ｄプリンタに接続されているか否かを判断する。
【００４２】
ステップＳ４０５、本機に接続されている３Ｄプリンタを用い、３Ｄ画像に対応するモデルを印刷する。
【００４３】
例えば、図５を参照し、ユーザが印刷モードをクリックしてから、図５に示す３Ｄモデルを印刷できる。
【００４４】
ステップＳ４０６、接続されていない場合、ユーザと一番近い３Ｄ印刷用商店を決定する。接続されていない場合、ユーザにふさわしい３Ｄ印刷用商店にデフォルトで接続され、例えば、ユーザと一番近い３Ｄ印刷用商店に接続される。
【００４５】
本実施例で、距離の一番近いのをデフォルトすることを例とし、すべての商店の情報をユーザに表示してもよく、ユーザの選択により、決定する。
【００４６】
ステップＳ４０７、距離の一番近い３Ｄ印刷用商店により印刷する。
【００４７】
例えば、オンラインで注文するモードで、３Ｄ画像を商店に提供し、商店が印刷された３Ｄモデルをユーザに返せる。
【００４８】
理解できるのは、印刷前に、ユーザが個性的な情報をカスタマイズし、その後に印刷すること。
【００４９】
また、３Ｄ印刷する場合、伝統的な印刷パターンを使用し、一重に一重にモデルを作成してもよく、または、新たな３Ｄ印刷技術をも用いてもよい。例えば、光及び酸素を介し、モデルを樹脂槽から伸ばさせる。本実施例では、具体的な３Ｄ印刷パターンを限定しない。
【００５０】
ステップＳ４０８、主要なニーズが購入であるのを決定する。
【００５１】
例えば、図３ａを参照し、ユーザは指輪を注文するをクリックした場合、主要なニーズが購入であるのを決定する。
【００５２】
ステップＳ４０９、ユーザにはカスタマイズというニーズがあるか否かを判断する。あるなら、ステップＳ４１０を実行し、ないなら、ステップＳ４１１を実行する。
【００５３】
例えば、ユーザは図３ａの中の指輪作成をクリックした場合、カスタマイズというニーズがあるのを表し、そうでないと、カスタマイズというニーズがないのを表す。
【００５４】
ステップＳ４１０：ユーザにより入力されたカスタマイズ情報を受信する。
【００５５】
ユーザにカスタマイズ情報のインターフェースを表示でき、ユーザはカスタマイズ情報のインターフェースにカスタマイズ情報を入力できる。
【００５６】
例えば、ユーザは図３ａの中の指輪作成をクリックしてから、図３ｂに示すインターフェースを表示でき、ユーザは当該インターフェースにてカスタマイズ情報３３を入力できる。
【００５７】
ステップＳ４１１：ユーザと一番近い商店を決定する。
【００５８】
例えば、ユーザは指輪注文をクリックしてから、図３ｃに示す検索結果を表示でき、購入用商店とユーザとの距離情報３４も含まれ、ユーザは当該距離情報に合わせて、一つの一番近い商店を選べる。
【００５９】
当然、理解できるのは、その他の商店を表示してもよく、その他の情報に基づいて、その他の商店を選択してもよい。
【００６０】
ステップＳ４１２、一番近い商店で購入する。
【００６１】
例えば、オンラインで注文するパターンで購入できる。
【００６２】
選択できるのは、購入する場合、直接注文するインターフェースをユーザに表示し、購入する流れを簡潔化する。
【００６３】
例えば、ユーザは一つの商店を選択して、購入ボタンをクリックしてから、図３ｄに示す直接注文するインターフェース３５が表示され、ユーザは当該インターフェースに直接に携帯番号を入力して購入でき、新規登録やログインなどの流れを必要としなく、購入には便利である。
【００６４】
本実施例において、検索語に対応する３Ｄ検索結果を取得することにより、ユーザに３Ｄ検索ニーズがある場合、ユーザに３Ｄ検索結果を表示し、且つユーザにより選択されたサービス項目に基づいて、３Ｄ画像を処理し、３Ｄ画像のニーズに基づいたサービスを提供し、ユーザのニーズをさらによく満たし、ユーザの体験を高めることができる。３Ｄ検索結果を構造化された情報という形で表示することにより、表示効果を高められる。検索結果ページに３Ｄ検索結果を操作するモード項目がさらに含まれることができることにより、直接に購入できるまたは直接に３Ｄモデルを印刷できるなど、見られるものを入手できる検索体験を実現する。
【００６５】
図６は本発明のもう一つの実施例で提出された情報検索装置の構造を示す図である。当該装置は具体的に検索エンジンの中に位置できる。当該装置６０は、受信モジュール６１と、取得モジュール６２と、第１表示モジュール６３と、処理モジュール６４と、を含む。
【００６６】
受信モジュール６１は、検索語を受信するためである。
【００６７】
検索エンジンはユーザの検索ボックスに入力した検索語を受信し、検索語はテキストまたは音声などの形で入力されることができる。
【００６８】
検索語は、具体的に３Ｄ検索ニーズを有する検索語であってもよい。具体的に、検索語に含まれている特定詞を踏まえ、または検索語を意味解析し、検索語が３Ｄ検索ニーズを有する検索語であるか否かを判断する。
【００６９】
例えば、検索語に「３Ｄ」が含まれる場合、検索語が３Ｄ検索ニーズを有する検索語であるのを決定できる。または検索語が室内内装、金型という単語である場合、意味解析を経て、こういう種類の単語は３Ｄ検索ニーズを有する単語であり、従って、こういう種類の検索語も３Ｄ検索ニーズを有する検索語である。
【００７０】
取得モジュール６２は、前記検索語が３Ｄ検索ニーズを有する検索語である場合、前記検索語に対応する３Ｄ検索結果を取得するためであり、前記３Ｄ検索結果は３Ｄ画像と前記３Ｄ画像に対応するサービス項目とを含む。
【００７１】
前記検索語に対応する３Ｄ検索結果を取得することは、前記検索語に基づいて、前記３Ｄ検索結果をリアルタイムに生成すること、または予め構築された３Ｄのモデルライブラリにおいて、前記３Ｄ検索結果を取得することを含むのが好ましい。
【００７２】
具体的に、リアルタイムに生成する場合、検索語に係る３Ｄ画像をリアルタイムに取得し、そしてこれらの３Ｄ画像を予め設定された規則に基づいて配列する。
【００７３】
または、サーバは、ユーザの検索履歴に基づいて、３Ｄモデルライブラリを予め構築してもよい。３Ｄモデルライブラリには異なる検索語に対応する３Ｄモデル画像が含まれることができ、現在の検索をする時に、３Ｄモデルライブラリから現在の検索語に対応する３Ｄモデル画像を取得する。
【００７４】
前記サービス項目は印刷と購入のうち少なくとも一つを含むのが好ましい。当然理解できるのは、サービス項目はその他の内容をさらに含める。
【００７５】
第１表示モジュール６３は、前記３Ｄ検索結果を表示するためである。
【００７６】
検索結果は検索結果ページに表示される。先行技術の中で、図２を参照し、検索語２１が３Ｄ検索ニーズを有する検索語である場合、検索結果２２は一項目一項目の独立的な情報であり、構造化された情報ではない。
【００７７】
ただし、本実施例において、図３ａを参照して、検索語３１が３Ｄ検索ニーズを有する検索語である場合、３Ｄ検索結果３２が構造化された情報という形で表示されることができる。
【００７８】
また、図３ａのように、本実施例における３Ｄ画像は具体的に３Ｄモデル画像を指してもよい。
【００７９】
処理モジュール６４は、ユーザにより選択されたサービス項目を決定し、且つ前記選択されたサービス項目に基づいて、前記３Ｄ画像を処理するためである。
【００８０】
例えば、ユーザが購入を選択する場合、購入用商店を選択でき、当該購入用商店で３Ｄ画像に対応する商品を購入する。または、ユーザが印刷を選択する場合、３Ｄ画像に対応する３Ｄモデルを印刷できる。
【００８１】
もう一つの実施例において、図７を参照して、当該装置６０は、第２表示モジュール６５をさらに含む。
【００８２】
第２表示モジュール６５は、ユーザによりサービス項目が選択されてから、カスタマイズ情報のインターフェースを表示し、前記ユーザが前記カスタマイズ情報のインターフェースに入力したカスタマイズ情報に基づいて、前記３Ｄ画像を処理するためである。
【００８３】
例えば、ユーザは図３ａの中の指輪作成をクリックしてから、図３ｂに示すインターフェースを表示でき、ユーザは当該インターフェースにカスタマイズ情報３３を入力できる。
【００８４】
好ましくは、前記処理モジュール６４は、具体的に、前記選択されたサービス項目を提供する商店から一つの商店を選択して、選択された商店で前記３Ｄ画像を処理するためである。
【００８５】
好ましくは、前記処理モジュールは、具体的に、前記選択されたサービス項目を提供する商店から一つの商店を選択するためであり、以下のようなステップを含む。
【００８６】
前記選択されたサービス項目を提供するすべての商店とユーザとの距離情報を取得し、距離が一番近い商店を選択された商店として決定する。
【００８７】
または、前記選択されたサービス項目を提供するすべての商店の情報を取得して、ユーザに表示し、表示された商店の情報に基づいて、ユーザにより選択された商店を決定する。
【００８８】
例えば、ユーザは指輪注文をクリックしてから、図３ｃに示す検索結果を表示でき、購入用商店とユーザとの距離情報３４も含まれ、ユーザは当該距離情に合わせて、一つの一番近い商店を選べる。
【００８９】
当然、理解できるのは、その他の商店を表示してもよく、その他の情報に基づいて、その他の商店を選択してもよい。
【００９０】
好ましくは、前記選択されたサービス項目が印刷である場合、前記処理モジュール６４は、具体的に、本機が３Ｄプリンターに接続されているか否かを判断するためである。
【００９１】
接続されている場合、接続されている３Ｄプリンターで前記３Ｄ画像に対応するモデルを印刷する。接続されていない場合、ユーザにふさわしい３Ｄ印刷用商店にデフォルトで接続され、印刷・郵送のサービスを提供する。
【００９２】
例えば、図５を参照し、ユーザが印刷をクリックしてから、図５に示す３Ｄモデルを印刷できる。
【００９３】
前記選択されたサービス項目が購入である場合、前記装置６０は、ユーザに直接に注文するインターフェースを表示するための第３表示モジュール６６をさらに含むのが好ましい。
【００９４】
例えば、ユーザは一つの商店を選択して、購入ボタンをクリックしてから、図３ｄに示すインターフェースが表示されることができ、ユーザは当該インターフェースに直接に携帯番号を入力して購入でき、新規登録やログインなどの流れを必要としなく、購入に便利である。
【００９５】
本実施例において、検索語に対応する３Ｄ検索結果を取得することにより、ユーザには３Ｄ検索ニーズがある場合、ユーザに３Ｄ検索結果を表示し、３Ｄ検索結果に基づいたサービスを提供し、ユーザのニーズをさらによく満たし、ユーザの体験を高めることができる。３Ｄ検索結果を構造化情報で表示することにより、表示効果を高められる。検索結果ページに３Ｄ検索結果を操作するモード項目がさらに含まれることができることにより、直接に購入できる、または直接に３Ｄモデルを印刷できるなど、見られるものが入手できる検索体験を実現する。
【００９６】
本発明の実施例で、更に電子設備が提供されている。電子設備は、一つまたは複数のプロセッサと、メモリーと、一つまたは複数のプログラムと、を含む。前記一つまたは複数のプログラムは、前記メモリーに保存され、前記一つまたは複数のプロセッサにより実行される場合、以下のように操作する。検索語を受信するステップと、前記検索語が３Ｄ検索ニーズを有する検索語である場合、前記検索語に対応する３Ｄ検索結果を取得し、前記３Ｄ検索結果は３Ｄ画像と前記３Ｄ画像に対応するサービス項目とを含むステップと、前記３Ｄ検索結果を表示するステップと、ユーザにより選択されたサービス項目を決定し、且つ前記選択されたサービス項目に基づいて、前記３Ｄ画像を処理するステップと、を実行する。
【００９７】
本発明の実施例で、更に不揮発コンピューター記憶媒体が提供される。前記コンピューター記憶媒体は、一つまたは複数のモジュールを保存し、前記一つまたは複数のモジュールが実行される場合、以下のように操作する。検索語を受信するステップと、前記検索語が３Ｄ検索ニーズを有する検索語である場合、前記検索語に対応する３Ｄ検索結果を取得し、前記３Ｄ検索結果が３Ｄ画像と前記３Ｄ画像に対応するサービス項目とを含むステップと、前記３Ｄ検索結果を表示するステップと、ユーザにより選択されたサービス項目を決定し、且つ前記選択されたサービス項目に基づいて、前記３Ｄ画像を処理するステップと、を実行する。
【００９８】
説明する必要があるのは、本発明の説明において、「第一」、「第二」の用語は目的を説明するためだけに用いられるものであり、比較的重要性を指示または暗示すると理解してはいけない。また、本発明の説明において、ほかの説明がない限り、「複数」とは、二つまたは二つ以上のことを意味する。
【００９９】
フローチャートまたはここでその他の方式で説明したあらゆる過程または方法の説明は特定な論理機能または過程のステップを実現することに使われる一つまたは更なる多い実行可能なコマンドのコードのモジュール、セグメントまたは一部を含み、更に本発明の好ましい実施形態の範囲は他の実現を含み、うち、示されたまたは議論された順序に従わずに、関連機能に基づいてほとんど同時の形態に従うまたは反対の順序に従うことを含み、機能を実行できることを表すことを理解することができる。これは本発明の実施例の当業者に理解されるべきである。
【０１００】
理解すべきなのは、本発明の各部分はハードウェア、ソフトウェア、ファームウェアまたはこれらの組み合わせによって実現されることができる。上記の実施形態で、複数のステップまたは方法はメモリーに保存されている、且つ適切なコマンド実行システムに実行されるソフトウェアまたはファームウェアで実現されることができる。例えば、ハードウェアで実現するなら、もう一つの実施例と同じく、本分野の下記の周知技術のあらゆる項目またはかれらの組み合わせで実現できる。データ信号の論理機能を実現する論理ゲート回路に使われる離散的論理回路を有し、論理ゲート回路を組み合わせる適切な専用集成回路、プログラマブル・ゲート・アレイ（ＰＧＡ）、フィールド・プログラマブル・ゲート・アレイ（ＦＰＧＡ）などを有する。
【０１０１】
普通の当業者は上記の実施例方法にある全部または一部のステップを実現するには、プログラムによる関連ハードウェアを指示するのを介して完成できるのが理解できる。前記プログラムはコンピューターが読み出し可能な記憶媒体に保存できる。当該プログラムは実行される場合、方法の実施例にあるステップの一つまたはその組み合わせが含まれる。
【０１０２】
また、本発明の各実施例にある各機能セルは一つの処理モジュールに集成されることもできるし、二つまたは二つ以上のセルは一つのモジュールに集成されることもできる。上記集成されたモジュールはハードウェアの形で実現されることもできるし、ソフトウェア機能を持つモジュールで実現されることもできる。前記集成されたモジュールはもしソフトウェア機能のモジュールで実現され、また独立の製品として販売または使用されるのであるなら、一つのコンピューターの読み出し可能な記憶媒体に保存することもできる。
【０１０３】
上記言及した読み出し可能な記憶媒体は読み出し専用メモリー、磁気ディスクまたはＣＤなどでよい。
【０１０４】
本明細書の説明において、用語「一つの実施例」、「いくつかの実施例」、「例示」、「具体的な例示」、または「いくつかの例示」などの記載の意味は当該実施例または例示に合わせて、説明された具体的な特徴、構造、材料または特徴が本発明の少なくとも一つの実施例または例示に含まれていることを指す。本明細書で、上記用語の暗示的な表現は同じ実施例または例示を指しているのに限らない。なお、説明された具体的な特徴、構造、材料または特徴が一つまたは複数のいずれかの実施例または例示において、適切な方式で組み合わせられる。
【０１０５】
以上、本発明の実施例を示して説明したが、理解できるのは上記の実施例が例示的なもので、本発明を限定するものであると理解されてはいけない。普通の当業者は本発明の範囲内で、上記の実施例に対して各種の変化、補正、切り替え及び変形を行うことができる。
【図１】
0006438565.tif 000002
【図２】
0006438565.tif 000003
【図３ａ】
0006438565.tif 000004
【図３ｂ】
0006438565.tif 000005
【図３ｃ】
0006438565.tif 000006
【図３ｄ】
0006438565.tif 000007
【図４】
0006438565.tif 000008
【図５】
0006438565.tif 000009
【図６】
0006438565.tif 000010
【図７】
0006438565.tif 000011